(57)【要約】【課題】本発明は、所望の位置に自在に配線、配管を設置することのできる間仕切ユニット、及びその施工方法を提供することを課題とする。【解決手段】設置位置に両側端裏面側の縦桟木と、該縦桟木間の複数の横桟木との設けられた幅狭の一方の表面部材を所定枚取り付け、配管、配線を前記縦桟木と横桟木とを利用して所望の位置に設置した後、前記一方の表面部材の反対側に両側端裏面側に位置する縦桟木を介して他方の表面部材を取り付けることで間仕切ユニットを施工する。【選択図】　図１
2004003262.tif 000002
【特許請求の範囲】
【請求項１】
構築物の部屋の間仕切ユニットの施工方法であって、設置位置に、両側端裏面側の縦桟木と、該縦桟木間の複数の横桟木との設けられた幅狭の一方の表面部材を所定枚数取り付け、配管、配線を前記縦桟木と横桟木とを利用して所望の位置に設置した後、前記一方の表面材の反対側に両側端裏面側に位置する縦桟木を介して他方の表面材を取り付けることで間仕切ユニットを施工することを特徴とする間仕切ユニットの施工方法。
【請求項２】
構築物の部屋の間仕切ユニットの施工方法であって、両側端側に設けられた縦桟木と、該縦桟木間に複数設けられた横桟木とかなる幅狭の枠体に一方の表面部材を取り付け、縦桟木の上部を所望の長さに切断し、天井部に取り付けられた上部木下地と床部に取り付けた下部木下地を介して枠体を固定した後、配管、配線を前記縦桟木と横桟木とを利用して所望の位置に設置し、そして前記枠体の反対側の両側端に縦桟木を介して他方の表面材を取り付けることで間仕切ユニットを施工することを特徴とする間仕切ユニットの施工方法。
【請求項３】
構築物の部屋の間仕切ユニットであって、間仕切ユニットを、幅狭に設けられ複数の表面板と、該表面板の両側端裏面側に設けられた縦桟木と、該縦桟木間に複数設けられた横桟木と、前記表面板の反対側で両側端裏面側に縦桟木を介して設けられた複数の他方の表面材とから構成されていることを特徴とする間仕切ユニット。
【請求項４】
一方の表面板と他方の表面板との縦桟木が重なることなく設けられている請求項３記載の間仕切ユニット。
【請求項５】
間仕切ユニットの上端側には開口部が設けられている請求項３又は４に記載の間仕切ユニット。
【発明の詳細な説明】
【０００１】
【発明の属する技術分野】
本発明は、間仕切ユニットに関し、特に所望の位置に自在に配線、配管を配置することのできる機能を備えた間仕切ユニット、及びその施工方法に関する。
【０００２】
【従来の技術】
従来、例えば集合住宅で使用する間仕切ユニットは、一定の幅の両面パネル壁材とその両端側に設けられた縦桟木とから構成され、この間仕切ユニットを予め製造して現場で施工されている。
【０００３】
この間仕切ユニットは、強度を得るために両面パネル壁材を厚さのあるパネル壁材で構成していた。
【０００４】
従って、間仕切ユニットに配線等を通す場合は、両面パネル壁材間に配線をとおし、一定の高さにコンセント部材を取り付けるべく孔が予め穿設されたものであった。
【０００５】
また、洗面所、便所用に使用する間仕切ユニットの場合その水道管の配管に応じて予めユニットに穿設した状態で構成していた。
【０００６】
ところで、近年家庭内では電器製品（インターネッ、ケーブル、光ファイバー等）の使用に関して、電気コンセント部材の設置位置はさまざまな要望があり、従来の間仕切ユニットでこれに対応するには、両面パネル壁材を薄くして、現場で自在に孔が穿設可能にする必要があるが、両面パネル壁材を薄くすると強度の面で問題があり、結局この要望に答えられない。
【０００７】
また、配線をパネル内で固定するには、縦桟木に取り付ける等しなければならず、孔の穿設位置はおのずと限定されるものであった。
【０００８】
また、洗面所等の水道管の配管に関しても、現場での設置位置の変更に自在に対応することができない。
【０００９】
そこで、例えば特開２００１−１１５５８３号に記載のユニット間仕切が考えられた。このユニット間仕切は、２枚の壁材（表面パネル）間に桟木と補強桟とそれぞれ所定巾をもって平行状に位置させ、２枚の壁材と桟木および補強桟とを接着剤によって固定された構成である。そして、桟木と補強桟斗との間の縦方向の空間を利用して配管等を行うものである。
【００１０】
【発明が解決しようとする課題】
しかしながら、上記ユニット間仕切において、桟木を合成樹脂の発泡材で構成することでユニット間仕切の重量を軽減しているものの、ユニット間仕切の重量の大半を占めるのは、２枚の壁材（表面パネル）であるために、十分な重量の軽減にはならず、また、２枚の壁材（表面パネル）に電気コンセント部材を設置する場合等現場で自在に孔を穿設できないという欠点があった。
【００１１】
また、配管を縦方向でしか設置できないために、孔の穿設位置はおのずと限定されるという欠点を解消することができない。
【００１２】
そこで、本発明は、このような実情に鑑みてなされたもので、強度を保ことができ、さらに、配線、配管の取り付けが自在である間仕切ユニット、及びその施工方法を提供することを課題とするものである。
【００１３】
【課題を解決するための手段】
上記目的を達成するため、本発明は請求項１に記載のように、構築物の部屋の間仕切ユニットの施工方法であって、設置位置に、両側端裏面側の縦桟木と、該縦桟木間の複数の横桟木との設けられた幅狭の一方の表面部材を所定枚数取り付け、配管、配線を前記縦桟木と横桟木とを利用して所望の位置に設置した後、前記一方の表面材の反対側に両側端裏面側に位置する縦桟木を介して他方の表面材を取り付けることで間仕切ユニットを施工することを特徴とする。
【００１４】
また、請求項２に記載のように、構築物の部屋の間仕切ユニットの施工方法であって、両側端側に設けられた縦桟木と、該縦桟木間に複数設けられた横桟木とかなる幅狭の枠体に一方の表面部材を取り付け、縦桟木の上部を所望の長さに切断し、天井部に取り付けられた上部木下地と床部に取り付けた下部木下地を介して枠体を固定した後、配管、配線を前記縦桟木と横桟木とを利用して所望の位置に設置し、そして前記枠体の反対側の両側端に縦桟木を介して他方の表面材を取り付けることで間仕切ユニットを施工することを特徴とする。
【００１５】
さらに、請求項３に記載のように、構築物の部屋の間仕切ユニットであって、間仕切ユニットを、幅狭に設けられ複数の表面板と、該表面板の両側端裏面側に設けられた縦桟木と、該縦桟木間に複数設けられた横桟木と、前記表面板の反対側で両側端裏面側に縦桟木を介して設けられた複数の他方の表面材とから構成されていることを特徴とする。
【００１６】
また、請求項４に記載のように、一方の表面板と他方の表面板との縦桟木が重なることなく設けられていることである。
【００１７】
また、請求項５に記載のように、間仕切ユニットの上端側には開口部が設けられていることである。
【００１８】
【作用】
即ち、本発明は、構築物、例えば集合住宅等の部屋の間仕切用に、予め構成し、現場で取り付けるものである。
【００１９】
先ず、設置位置に、両側端裏面側に縦桟木と、該縦桟木間に複数の横桟木との設けられた幅狭の枠体の一方側に、表面部材を所定枚数取り付け、その後縦桟木の上部を所望の長さに切断し、天井部に取り付けられた上部木下地と床部に取り付けた下部木下地を介して枠体を固定した後、配管、配線を前記縦桟木と横桟木とを利用して所望の位置に設置する。
その後、前記縦桟木と横桟木とを利用して所望の位置に、電気コンセント用の配線を設置する（洗面所の場合は水道用の配管を所望の位置に設置する）。
そして、前記一方の表面部材の反対側の両側端裏面側に位置する縦桟木を取り付け、その後他方の表面部材を縦桟木に取り付けることで間仕切ユニットを施工することができる。
【００２０】
前記配線、及び配管は間仕切ユニットの上端側に設けられた開口部よりユニット内に取り入れることでさらに容易に配線、配管を設置することができることとなる。
【００２１】
また、他方の表面部材を取り付ける際、一方の表面部材と位置をずらして取り付けることで、間仕切ユニットの強度をさらに強くすることができる。
【００２２】
このように、本発明の間仕切ユニットは、その強度を保ことができるとともに、配線、配管を縦桟木と横桟木とを利用して自在に設置し、また変更することが可能となる。
【００２３】
【実施の形態】
以下、本発明の実施の形態を、図面に沿って説明する。図１は本発明の一実施例の間仕切ユニットの概略正面図を示し、図２は間仕切ユニット拡大概略断面図を示し、図３は配線、配管を設置する場合の状態を示す概略説明図であり、図４（イ）、（ロ）は間仕切ユニットの施工方法を示す概略説明斜視図であり、図５（イ）、（ロ）、（ハ）は間仕切ユニットの施工方法を示す概略説明斜視図であり、図６（イ）、（ロ）、（ハ）、（ニ）間仕切ユニットの施工方法を示す概略説明斜視図である。
【００２４】
本発明の間仕切ユニット１は、約６００ｍｍ幅の複数の一方の表面部材２…と、該表面部材２の両側端裏面側に設けられた縦桟木３、３と、該縦桟木３、３間に一定の間隔で設けられた横桟木４…と、縦桟木３、３間に設けられた他方の縦桟木５、５と、縦桟木５、５を介して設けられた約６００ｍｍ幅の複数の他方の表面部材６…とから構成されている。
【００２５】
この際、一方の表面部材２と他方の表面部材６との幅を約６００ｍｍにすることにより、従来のように表面部材を厚くする必要がなくても間仕切ユニット１として十分な強度を得ることが可能となる。当然、表面部材２、６の幅はこれに限定されるものでない。
【００２６】
又、一方の表面部材２と他方の表面部材６とは縦桟木３、３，縦桟木５、５の上端側より一定の距離をおいて取り付けられ、このため縦桟木３、３，縦桟木５、５の上端側側には開口部７が形成されてこととなる。この開口部７は設置の際天井側に設けられることとなり、天井裏からの電気の配線１１をこの部分より取り込むことが可能となる。また、水道管の配管１２の場合もこの部分を利用することができる。
特に、現在の幅太の配線においても対応することが可能となる。
【００２７】
前記一方の表面部材２と他方の表面部材６とは、約３００ｍｍずらして取り付けることで一方の表面部材２と他方の表面部材６との間は、約３００ｍｍ毎に縦桟木３、５が設けられてることとなり、間仕切ユニット１の強度をさらに上げることができる他、施工をスムーズに行うことが可能となる。
【００２８】
本発明の間仕切ユニット１は上記のように構成されている。次に上記間仕切ユニット１を、例えば集合住宅に取り付ける場合について説明する。
【００２９】
先ず、設置場所の長さに応じて縦桟木３、３及び横桟木４…よりなる枠体２０を作り該枠体２０の一方側に複数枚の表面部材２…を取り付ける。
【００３０】
その後、所望の設置場所に応じて縦桟木３、３の上部を切断し、天井に設けた前方に矩形状の切欠の設けられた上部木下部３１と床に設けられた下部木下部３２とを介して枠体２０をビス等を用いて固定する。
【００３１】
その後、上部側の開口部７より電気の配線１１を通し、縦桟木３、及び横桟木４…を利用して所望の位置に孔を穿設して電気コンセント１５を取り付ける。
この際、電気コンセント１５の設置位置は、縦桟木３、及び横桟木４…が複数あるためにその配置を自在に変更することが可能である。このため、例えば、インターネット、ケーブルテレビ、光ファイバー等に対してもそれぞれを利用状況に応じて所望の位置に設置することが可能となる。
【００３２】
そして、前記縦桟木３、３と約３００ｍｍずれた位置に次の縦桟木５、５を取り付け複数の他方の表面部材６…を取り付けることで間仕切ユニット１を施工することができる。
【００３３】
また、洗面所、便所等の間仕切ユニット１の場合は、水道管の配管１２を同様に開口部７と縦桟木３、及び横桟木４を利用して設置して水道栓を取り付けた後、他方の表面部材６…を取り付けることで洗面所、便所等の間仕切ユニット１を施工することができる。
【００３４】
また、一方の表面部材２…と他方の表面部材６…とは、約６００ｍｍの幅であるために、間仕切ユニット１として必要な強度を得ることができる他、間仕切ユニット１の端部分の廃棄が従来の１枚パネルに比し少なくてすみ、廃棄物少なくするという環境を考えた間仕切ユニット１である。
【００３５】
そして、電気配線を取り付ける場合は、開口部７より配線１１を間仕切ユニット１内に取り込み、縦桟木３…、及び横桟木４…に沿って取り付けることができ、コンセント部の孔の穿設も自在な位置に設置することができることとなる。
【００３６】
【発明の効果】
このように、本発明の間仕切ユニットの施工は、従来の間仕切ユニットに比し表面部材が薄く構成してあるために、表面部材への穿孔作業が容易であり、また複数の縦桟木、横桟木を利用して配線、配管を所望の位置に自在に設置して施工することができるという利点がある。
【００３７】
また、間仕切ユニットの表面部部材が幅狭であるために施工後の廃棄部分が少なく経済的であるとともに、環境に適することができるという利点がある。
【００３８】
さらに、表面部材が幅狭であるため、また一方の表面部材と他方の表面部材とが位置をずらして配置してあるために、表面材の厚さにかかわらず間仕切に必要な強度も得ることがでるという利点がある。
【図面の簡単な説明】
【図１】は、本発明の一実施例の間仕切ユニットの概略正面図を示す。
【図２】は、間仕切ユニットの拡大概略断面図を示す。
【図３】は、配線、配管を設置する場合の状態の概略説明図を示す。
【図４】（イ）、（ロ）は間仕切ユニットの施工方法の概略説明斜視図を示す。
【図５】（イ）、（ロ）、（ハ）は間仕切ユニットの施工方法の概略説明斜視図である。
【図６】（イ）、（ロ）、（ハ）、（ニ）間仕切ユニットの施工方法を示す概略説明斜視図である。
【符号の説明】
１…間仕切ユニット
２…一方の表面部材
６…他方の表面部材
【図１】
2004003262.tif 000003
【図２】
2004003262.tif 000004
【図３】
2004003262.tif 000005
【図４】
2004003262.tif 000006
【図５】
2004003262.tif 000007
【図６】
2004003262.tif 000008